(57)【要約】【課題】境界線の鮮明さを有しながら隣接する部位からの異なる色による照射を可能とする照明器具を提供する。【解決手段】開口面を有するケース体と、この開口面に複数の開口部を形成するようにケース体の内部を仕切る仕切り板と、各仕切り空間内に配設された光源と、各開口部を閉塞する複数の透光蓋体とを備えたものとし、透光蓋体の構成を、透明基板の表面に白色部材を有する積層体であり、かつ、少なくとも隣接する透光蓋体と当接する面に白色膜または反射膜を有するものとし、開口部を形成する仕切り板の上端部において隣接する透光蓋体どうしが当接するようにした。【選択図】  図４
2006113324.tif 000002
【特許請求の範囲】
【請求項１】
開口面を有するケース体と、該開口面に複数の開口部を形成するように前記ケース体の内部を仕切る仕切り板と、各仕切り空間内に配設された光源と、各開口部を閉塞する複数の透光蓋体とを備え、前記開口部を形成する前記仕切り板の上端部において隣接する透光蓋体どうしが当接し、前記透光蓋体は透明基板の表面に白色部材を有する積層体であり、かつ、少なくとも隣接する透光蓋体と当接する面に白色膜または反射膜を有するものであることを特徴とする照明器具。
【請求項２】
前記透明基板の厚みは、２ｍｍ以上であることを特徴とする請求項１に記載の照明器具。
【請求項３】
前記白色部材の厚みは、０．１〜１０ｍｍの範囲内であることを特徴とする請求項１または請求項２に記載の照明器具。
【請求項４】
各仕切り空間内に配設された前記光源は、複数色の光源からなり、かつ、所望の色の光源を発光させることができることを特徴とする請求項１乃至請求項３のいずれかに記載の照明器具。
【請求項５】
前記光源は、電球、放電管、および発光ダイオード素子のいずれかであることを特徴とする請求項１乃至請求項４のいずれかに記載の照明器具。
【請求項６】
前記開口部の形状は円形、矩形、楕円形、多角形、文字形状、記号形状のいずれかであることを特徴とする請求項１乃至請求項５のいずれかに記載の照明器具。
【請求項７】
前記透明基板は、前記開口部に係合するための切欠き部を備え、かつ、前記仕切り板の上端部に位置する透明基板の厚みは２ｍｍ以上であることを特徴とする請求項１乃至請求項６のいずれかに記載の照明器具。
【発明の詳細な説明】
【技術分野】
【０００１】
本発明は、照明器具に係り、特に複数色の発光表示が可能な照明器具に関する。
【背景技術】
【０００２】
照明器具には、夜間に室内、屋外等を明るくするための本来の用途の他に、装飾用、表示用等の種々の目的に使用されるものがある。このような照明器具として、例えば、前面の透明塩ビ板に塩ビ透明カラーシートを貼付け、側面に黒色塩ビ板を配した切り文字本体を備えた電飾看板（特許文献１）、指向性のある光源をシェードに装着し、光の進行方向と交差する方向となるようにシェード内に多数のヘアラインを付した装飾用照明装置（特許文献２）等が知られている。
【特許文献１】特開２００２−１３２１９４号公報
【特許文献２】特開２００３−２７２４０５号公報
【発明の開示】
【発明が解決しようとする課題】
【０００３】
しかしながら、上述のような従来の照明器具では、異なった色の光を隣接する部位から照射することは不可能である。このような要求に応える照明器具としては、例えば、筐体の内部を仕切り板により複数に仕切り、各仕切り空間内に光源を設けるとともに、各仕切り空間の開口に所望の色の光透過性部材を配設した照明器具が考えられる。しかし、このような照明器具では、照射光の色が固定されてしまい、例えば、隣接する部位からの照射光の色を所望の時間経過毎に適宜変えることは不可能である。
【０００４】
これに対応するために、仕切り板を用いて内部を複数に仕切った筐体の各仕切り空間毎に複数色の光源を配設し、各仕切り空間の開口全体を覆うように光透過性部材を載置した照明器具が考えられる。このような照明器具では、各仕切り空間毎に光源の発光色を変えることにより、隣接する部位からの照射光の色を適宜変更することができる。しかし、このような照明器具は、仕切り板による影が、例えば、碁盤目のように認識されてしまい、装飾性等を低下させるという問題があった。また、仕切り板の影が認識されないように、仕切り板を低くする（光透過性部材から仕切り板の先端を離間させる）ことも考えられるが、このような構造では、隣接する部位の発光色が異なる場合、光の混合が生じてしまい、境界線の鮮明な色表示が行えないという問題があった。
【０００５】
本発明は、上記のような実情に鑑みてなされたものであり、境界線の鮮明さを有しながら隣接する部位からの異なる色による照射を可能とする照明器具を提供することを目的とする。
【課題を解決するための手段】
【０００６】
このような目的を達成するために、本発明の照明器具は、開口面を有するケース体と、該開口面に複数の開口部を形成するように前記ケース体の内部を仕切る仕切り板と、各仕切り空間内に配設された光源と、各開口部を閉塞する複数の透光蓋体とを備え、前記開口部を形成する前記仕切り板の上端部において隣接する透光蓋体どうしが当接し、前記透光蓋体は透明基板の表面に白色部材を有する積層体であり、かつ、少なくとも隣接する透光蓋体と当接する面に白色膜または反射膜を有するものであるような構成とした。
【０００７】
本発明の好ましい態様として、前記透明基板の厚みは、２ｍｍ以上であるような構成とした。
本発明の好ましい態様として、前記白色部材の厚みは、０．１〜１０ｍｍの範囲内であるような構成とした。
本発明の好ましい態様として、各仕切り空間内に配設された前記光源は、複数色の光源からなり、かつ、所望の色の光源を発光させることができるような構成とした。
【０００８】
本発明の好ましい態様として、前記光源は、電球、放電管、および発光ダイオード素子のいずれかであるような構成とした。
本発明の好ましい態様として、前記開口部の形状は円形、矩形、楕円形、多角形、文字形状、記号形状のいずれかであるような構成とした。
本発明の好ましい態様として、前記透明基板は、前記開口部に係合するための切欠き部を備え、かつ、前記仕切り板の上端部に位置する透明基板の厚みは２ｍｍ以上であるような構成とした。
【発明の効果】
【０００９】
このような本発明では、各仕切り空間毎に光源から透光蓋体に照射された光は、透光蓋体を構成する透明基板および白色部材を透過して、光源の色に応じた光が透光蓋体から照射され、このとき、透明基板内を隣接する透光蓋体方向に進んだ光は、白色膜または反射膜によって隣接する透光蓋体内への侵入が抑制され、異なる光源からの光の混合が防止されることとなり、また、隣接する透光蓋体の境界に位置する仕切り板の上端部と、透光蓋体を構成する白色部材との間には、透明基板が介在して間隙が確保されているので、仕切り板の上端部の影が白色部材に鮮明に映ることが抑制され、さらに、仕切り板の上端部に位置する白色膜または反射膜により反射された光が白色部材に到達し、これにより、透光蓋体の境界線で色が鮮明に異なった光の照射が可能になるという効果が奏される。
【発明を実施するための最良の形態】
【００１０】
以下、本発明の実施の形態について図面を参照して説明する。
図１は本発明の照明器具の一実施形態を示す斜視図であり、図２は照明器具を構成するケース体の斜視図であり、図３は図１に示される照明器具のＡ−Ａ線における断面図である。図１〜図３において、本発明の照明器具１は、ケース体２と、このケース体２の開口面に配設された複数の透光蓋体１１を備えている。
照明器具１を構成するケース体２は、開口面３を備え、仕切り板４によって内部が仕切られている。これにより２個の仕切り空間５ａ，５ｂが形成され、開口面３には２個の開口部６ａ，６ｂが形成されている。また、各仕切り空間５ａ，５ｂ内には光源８が配設されている。
【００１１】
ケース体２は、材質に特に制限はなく、例えば、金属、ガラス、樹脂、カーボン繊維等の材料、あるいは、これらの任意の組み合わせからなる複合材料等を用いて作製したものを使用することができる。図示例では、ケース体２は１つの開口面３を備えるものであるが、これに限定されるものではなく、例えば、透光蓋体１１が配設される面と反対側にも開口面を備えるものであってもよい。
仕切り板４は、ケース体２の内部を複数に仕切ることにより開口部６ａ、６ｂを形成するとともに、隣接する仕切り空間での光の漏れを防止することを目的としている。このような仕切り板４は、ケース体２と同時成形されたもの、別体の仕切り板材をケース２内部に配設したものいずれであってもよい。後者の場合、仕切り板４の材質は、ケース体２の材質と同じであっても、異なるものであってもよい。
【００１２】
ケース体２の各仕切り空間５ａ，５ｂ内に配設された光源８は、照明器具１の使用目的に応じて適宜選択することできる。例えば、光源８として、電球、放電管、および発光ダイオード素子のいずれかを使用することができる。また、光源８は、複数色の光源からなり、かつ、所望の色の光源を発光させることができるように、例えば、１つの仕切り空間において、赤色、青色、緑色の３種の発光を任意に選択できるようにしてもよい。
【００１３】
また、照明器具１を構成する透光蓋体１１は、各開口部６ａ，６ｂを閉塞するように配設されており、仕切り板４の上端部４ａにおいて、隣接する透光蓋体１１，１１どうしが当接している。図４は、透光蓋体１１の拡大断面図であり、図４に示されるように、透光蓋体１１は、透明基板１２と、この透明基板１２の表面（照明器具１１の照射面側）に積層された白色部材１３とを備えた積層体である。この透光蓋体１１は、隣接する透光蓋体と当接する１つの側面と、他の３つの側面に白色膜１４を備えている。また、透光蓋体１１は、透明基板１２の裏面側の周辺部に切欠き部１２ａを備えている。このため、この切欠き部１２ａを開口部６ａ，６ｂを構成するケース体２と仕切り板４に係止するようにして、透光蓋体１１は開口部６ａ，６ｂに嵌着されている。
【００１４】
透光蓋体１１を構成する透明基板１２は、例えば、アクリル樹脂等の透明樹脂基板、ガラス基板等を使用することができる。このような透明基板１２の仕切り板４の上端部４ａに位置する厚みＴ（図４参照）は、２ｍｍ以上、好ましくは４ｍｍ以上とすることができる。この厚みＴが２ｍｍ未満であると、仕切り板４の上端部４ａの影が白色部材１３に映り易くなり好ましくない。尚、厚みＴの上限は特になく、使用目的に応じて設定することができ、例えば、床面に本発明の照明器具を配設して使用する場合、人間の体重を支えるための強度を考慮して厚みＴを大きく設定することができる。
【００１５】
透光蓋体１１を構成する白色部材１３は、例えば、アクリル樹脂等の樹脂材料からなる白色、乳白色等の光散乱が可能な板材、あるいはシートを使用することができる。このような白色部材１３の厚みｔは、例えば、０．１〜１０ｍｍ、好ましくは２〜８ｍｍ程度で設定することができる。白色部材１３の厚みｔが０．１ｍｍ未満であると、仕切り板４の上端部４ａの影が白色部材１３に映り易くなり、また、厚みｔが１０ｍｍを超えると、白色部材１３を透過する光量が少なくなり、十分な明るさが得られない場合がある。したがって、白色部材１３の厚みは、光源の光度、白色部材１３の材質等を考慮して適宜設定することができる。また、白色部材１３は、表面（透明基板１２と反対側の面）に、例えば、意匠上の凹凸や種々の形状を有し、厚みが均一でないものであってもよい。尚、透明基板１２と白色部材１３との接着は、従来公知の接着剤を用いて行うことができる。
【００１６】
透光蓋体１１の側面に設けられている白色膜１４は、透明基板１２内を進んできた光が隣接する別の透光蓋体１１に侵入することを阻止するとともに、この光を反射して、仕切り板４の上端部４ａによる影を打ち消すことを目的としたものである。したがって、白色膜１４は、必ずしも白色である必要はなく、光源８で発光される光に対して５０％以上の反射率を示すものであればよい。しかし、光源８で発光される光の色が種々変化する場合を考慮すると、可視光の全波長域において５０％以上の反射率を示す白色乃至乳白色の膜であることが好ましい。光源８で発光される光に対する白色膜１４の反射率が５０％未満である場合、仕切り板４の上端部４ａによる影を十分に打ち消すことができず、隣接する透光蓋体１１の境界部位において黒色線が認識されてしまい好ましくない。勿論、白色膜１４の代わりに、黒色膜を使用した場合には、透明基板１２内を進んできた光が隣接する別の透光蓋体１１に侵入することは阻止できるが、黒色膜自体が隣接する透光蓋体１１の境界部位において黒色線として認識され好ましくない。
【００１７】
上記のような白色膜１４は、例えば、白色塗料、乳白色塗料、灰白色塗料等を塗布して形成したもの、白色樹脂フィルム、乳白色樹脂フィルム、灰白色樹脂フィルム等を貼着したもの等、いずれであってもよい。この白色膜１４は、図示例では、切欠き部１２ａには設けられていないが、図５に示すように、切欠き部１２ａにも設けられたものであってもよい。また、本発明では、白色膜１４の代わりに、反射膜を設けてもよい。この反射膜は、上述の白色膜と同様の作用をなすことを目的としたものであり、例えば、アルミニウム箔等の金属箔を貼着したもの、金属粉含有塗料を塗布したもの等であってよい。
【００１８】
このような透光蓋体１１は、切欠き部１２ａの幅Ｗを仕切り板４の厚みの半分に設定することにより、開口部６ａ，６ｂに嵌着された状態で、仕切り板４の上端部４ａにおいて隣接する透光蓋体１１どうしが当接することとなる。また、必要に応じて、開口部６ａ，６ｂをなすケース体２と仕切り板４の端部に接着剤を用いて固着してもよい。
尚、本発明では、透光蓋体１１は切欠き部１２ａを備えていないものであってもよい。この場合、図６に示すように、仕切り板４の上端部４ａにおいて隣接する透光蓋体１１，１１どうしが当接するように載置し、開口部６ａ，６ｂをなすケース体２と仕切り板４の端部に、接着剤を用いて固着することができる。
【００１９】
このような本発明の照明器具１では、各仕切り空間５ａ，５ｂ毎に光源８から透光蓋体１１に照射された光は、各透光蓋体１１を構成する透明基板１２および白色部材１３を透過して、光源８の発光色に応じた光が各透光蓋体１１から外部に照射される。そして、例えば、仕切り空間５ａにおいて光源８から照射され、仕切り空間５ａに配設された透光蓋体１１の透明基板１２内を、隣接する仕切り空間５ｂ方向に透過した光は、透光蓋体１１の白色膜１４により遮断される。また、隣接する透光蓋体１１，１１の境界に位置する仕切り板４の上端部４ａと、透光蓋体１１を構成する白色部材１３との間には、透明基板１２が介在することにより空隙が存在するので、仕切り板４の上端部４ａの影が白色部材に鮮明に映ることがなく、さらに、仕切り板４の上端部４ａに位置する白色膜１４により反射された光が、仕切り板４の上端部４ａの影を打ち消すことになる。これにより、異なる光源からの光が透光蓋体１１において混合することが防止され、透光蓋体１１の境界線で色が鮮明に異なる光の照射が可能になる。
【００２０】
上述の実施形態は一例であり、ケース体の形状、寸法、仕切り板により形成される仕切り空間の数、形状、開口部の形状、および、開口部の形状に対応する透光蓋体の形状は、照明器具の使用目的等に応じて適宜設定することができる。例えば、図７に示される照明器具２１のように、開口面２３を有するケース体２２が仕切り板２４によって４個の仕切り空間を有するように仕切られ、４個の開口部２６ａ，２６ｂ，２６ｃ，２６ｄを有するものであってもよい。この場合、透光蓋体３１は、４個の開口部２６ａ、２６ｂ，２６ｃ，２６ｄに対応した形状であり、各開口部２６ａ，２６ｂ，２６ｃ，２６ｄを閉塞し、かつ、仕切り板２４の上端部２４ａにおいて、隣接する透光蓋体３１どうしが当接するように構成される。
【００２１】
また、図８に示される照明器具４１のように、開口面４３を有するケース体４２が仕切り板４４によって５個の仕切り空間を有するように仕切られ、５個の三角形の開口部４６ａ，４６ｂ，４６ｃ，４６ｄ，４６ｅを有するものであってもよい。この場合、透光蓋体５１は、５個の開口部４６ａ，４６ｂ，４６ｃ，４６ｄ，４６ｅに対応した三角形状であり、各開口部４６ａ，４６ｂ，４６ｃ，４６ｄ，４６ｅを閉塞し、かつ、仕切り板４４の上端部４４ａにおいて、隣接する透光蓋体５１どうしが当接するように構成される。
【００２２】
さらに、図９に示される照明器具６１のように、開口面６３を有するケース体６２が仕切り板６４によって中央部にＴ字形状の仕切り空間を有するように仕切られ、１個のＴ字形状の開口部６６ａと、その周囲に存在する白抜きＴ字形状の開口部６６ｂを有するものであってもよい。この場合、透光蓋体７１は、開口部６６ａに対応したＴ字形状の透光蓋体７１ａと、白抜きＴ字形状の透光蓋体７１ｂからなる。このようなＴ字形状の透光蓋体７１ａは、その側面全てに白色膜または反射膜を備え、透光蓋体７１ｂは、少なくとも白抜きＴ字形状部位の側面に白色膜または反射膜を備えるものとする。そして、透光蓋体７１ａ，７１ｂは、各開口部６６ａ，６６ｂを閉塞し、かつ、仕切り板６４の上端部６４ａにおいて、隣接する透光蓋体７１ａ，７１ｂどうしが当接するように構成される。
【００２３】
尚、上述の図７〜図９では、照明器具のケース体と透光蓋体を離間させた状態を示している。
上述のような本発明の照明器具は、例えば、商品ディスプレイ、バーグラフ、フロア電飾、電飾看板、得点表示板、壁電飾、天井電飾、オブジェ、スクリーンモニター、ビルの外壁等の用途に使用することができる。
【実施例】
【００２４】
次に、具体的実施例を挙げて本発明を更に詳細に説明する。
［実施例］
厚み１ｍｍの鉄板を用いて９．９ｃｍ×３０．１ｃｍの長方形の開口面を有する長方体形状の有底ケース体を作製した。このケース体の高さは１０ｃｍであった。
次に、厚み２ｍｍの鉄からなる２枚の仕切り板を、上記のケース体の内部を３分割に仕切るように配設した。これにより、９．９ｃｍ×９．９ｃｍの正方形の開口部を３個形成した。
次いで、各仕切り空間に赤色、青色、緑色の３種の発光ダイオード素子を配設し、赤色、青色、緑色の３種の発光を任意に選択できるようにした。
【００２５】
一方、１０．１ｃｍ×１０．１ｃｍの正方形で厚み１０ｍｍのアクリル樹脂板（住友化学工業（株）製  スミペックス）を透明基板として準備した。このアクリル樹脂板の一方の面の周縁部に、幅１．３ｍｍ、深さ３ｍｍの切欠き部を形成した。また、厚み３ｍｍの乳白色アクリル樹脂板（三菱レイヨン（株）製  アクリルライト）を白色部材として準備し、上記のアクリル樹脂板の他の面（切欠き部が形成された面の反対面）にアクリル系接着剤を用いて貼り合わせた。その後、アクリル樹脂板の側面（切欠き部を除く）に白色塗料（関西ペイント（株）製  ウレタン樹脂塗料（白））を塗布し乾燥して、厚み約１０μmの白色膜を形成し、図４に示されるような透光蓋体とした。
【００２６】
上記のような透光蓋体を３個作製し、ケース体の各開口部に嵌着した。嵌着された透光蓋体は、各開口部を閉塞するとともに、仕切り板の上端部において隣接する透光蓋体どうしが当接するものとなった。これにより、本発明の照明器具を得た。
このような照明器具の３個の仕切り空間において、光源を異なる色で発色（赤色、青色、緑色）させたところ、２枚の仕切り板の影は認められず、各透光蓋体の境界線で色が鮮明に異なる３色（赤色、青色、緑色）の光が照射されることが確認された。
【００２７】
［比較例１］
実施例と同様にして、内部が３分割に仕切られ、各仕切り空間に赤色、青色、緑色の３種の発光ダイオード素子を配設したケース体を作製した。
次に、１０．１ｃｍ×３０．３ｃｍの長方形で厚み３ｍｍの乳白色アクリル樹脂板（三菱レイヨン（株）製  アクリルライト）を、上記のケース体の３個の開口部を閉塞するようにエポキシ接着剤を用いて固着した。これにより、比較の照明器具を得た。
このような照明器具の３個の仕切り空間において、光源を異なる色で発色（赤色、青色、緑色）させたところ、２枚の仕切り板の影が乳白色アクリル樹脂板に映ることが確認された。
【００２８】
［比較例２］
実施例と同様にして、内部が３分割に仕切られ、各仕切り空間に赤色、青色、緑色の３種の発光ダイオード素子を配設したケース体を作製した。
次に、１０．１ｃｍ×３０．３ｃｍの長方形で厚み１３ｍｍの乳白色アクリル樹脂板（三菱レイヨン（株）製  アクリルライト）を、上記のケース体の３個の開口部を閉塞するようにエポキシ接着剤を用いて固着した。これにより、比較の照明器具を得た。
このような照明器具の３個の仕切り空間において、光源を異なる色で発色（赤色、青色、緑色）させたところ、２枚の仕切り板の影は認められないが、各透光蓋体の境界線近傍で、隣り合う仕切り空間の光源からの光の混合がみられ、また明度が実施例に比べて低いものであった。
【００２９】
［比較例３］
透光蓋体の側面に白色膜を形成しない他は、実施例と同様にして、比較の照明器具を得た。
この照明器具の３個の仕切り空間において、光源を異なる色で発色（赤色、青色、緑色）させたところ、２枚の仕切り板の影は認められないが、各透光蓋体の境界線近傍で、隣り合う仕切り空間の光源からの光の混合がみられ、各透光蓋体の境界線で色が鮮明に異なる３色（赤色、青色、緑色）の光照射は不可能であった。
【産業上の利用可能性】
【００３０】
優れた認識性、装飾性、意匠性等を照明に要求する種々の分野において有用である。
【図面の簡単な説明】
【００３１】
【図１】本発明の照明器具の一実施形態を示す斜視図である。
【図２】本発明の照明器具を構成するケース体の斜視図である。
【図３】図１に示される照明器具のＡ−Ａ線における断面図である。
【図４】本発明の照明器具を構成する透光蓋体の一例を示す拡大断面図である。
【図５】本発明の照明器具を構成する透光蓋体の他の例を示す拡大断面図である。
【図６】本発明の照明器具の他の実施形態を示す図３相当の断面図である。
【図７】本発明の照明器具の他の実施形態を示す、ケース体と透光蓋体とを離間した状態の斜視図である。
【図８】本発明の照明器具の他の実施形態を示す、ケース体と透光蓋体とを離間した状態の斜視図である。
【図９】本発明の照明器具の他の実施形態を示す、ケース体と透光蓋体とを離間した状態の斜視図である。
【符号の説明】
【００３２】
１，２１，４１，６１…照明器具
２，２２，４２，６２…ケース体
３，２３，４３，６３…開口面
４，２４，４４，６４…仕切り板
５ａ，５ｂ…仕切り空間
６ａ，６ｂ，２６ａ，２６ｂ，２６ｃ，２６ｄ，４６ａ，４６ｂ，４６ｃ，４６ｄ，４６ｅ，６６ａ，６６ｂ…開口部
１１，３１，５１，７１（７１ａ，７１ｂ）…透光蓋体
１２…透明基板
１３…白色部材
１４…白色膜または反射膜
【図１】
2006113324.tif 000003
【図２】
2006113324.tif 000004
【図３】
2006113324.tif 000005
【図４】
2006113324.tif 000006
【図５】
2006113324.tif 000007
【図６】
2006113324.tif 000008
【図７】
2006113324.tif 000009
【図８】
2006113324.tif 000010
【図９】
2006113324.tif 000011